(57)【要約】【課題】プロペラファンの回転強度を確保し、かつ、雪等による室外機の振動及びコストアップを防ぐことができるプロペラファンを提供すること。【解決手段】モータＭによって回転駆動されるプロペラファン１は、中央部に形成された筒状のファンボス部３と、ファンボス部３の外周面３ａに突出形成された羽根部２と、を有している。ファンボス部３は、モータＭによって回転される回転軸Ｍａが設けられる軸取付部８の外周面８ａからファンボス部３の内壁３ｂに亘って放射状に形成されて軸方向に延びる複数のリブ７と、複数のリブ７の間を繋ぐ下流側架設部１１と、下流側架設部１１よりも上流側で複数のリブ７の間を繋ぐ上流側架設部１２と、を有している。【選択図】図５
2017053301.tif 000002
【特許請求の範囲】
【請求項１】
モータによって回転駆動されるプロペラファンであって、
中央部に形成された筒状のファンボス部と、
前記ファンボス部の外周面に突出形成された羽根部と、を有し、
前記ファンボス部は、前記モータによって回転される回転軸が設けられる軸取付部の外周面から前記ファンボス部の内壁に亘って放射状に形成されて軸方向に延びる複数のリブと、
前記複数のリブの間を繋ぐ下流側架設部と、
前記下流側架設部よりも上流側で前記複数のリブの間を繋ぐ上流側架設部と、を有すること、
を特徴とするプロペラファン。
【請求項２】
前記ファンボス部と、前記羽根部と、前記複数のリブと、前記下流側架設部と、前記上流側架設部とは、前記プロペラファンに一体成形されていること、
を特徴とする請求項１に記載のプロペラファン。
【請求項３】
前記下流側架設部は、前記軸取付部と前記ファンボス部の前記内壁との間から前記複数のリブの間に亘って形成された第１空間の下流側を閉塞するように形成され、
前記上流側架設部は、前記軸取付部と前記ファンボス部の前記内壁との間から前記複数のリブの間に亘って形成された第２空間の上流側を閉塞するように形成され、
前記下流側架設部の径方向外側の外周部の長さは、前記上流側架設部の径方向外側の周方向の長さよりも長く形成されていること、
を特徴とする請求項１または請求項２に記載のプロペラファン。
【請求項４】
前記ファンボス部は、前記上流側架設部の下流側の前記外周面に切欠溝が形成されていること、
を特徴とする請求項１に記載のプロペラファン。
【請求項５】
前記上流側架設部は、前記羽根部の前縁基端部の軸心側に設けられていること、
を特徴とする請求項１に記載のプロペラファン。
【請求項６】
請求項１ないし請求項５に記載の前記プロペラファンを備えたこと、
を特徴とする空気調和機の室外機。
【発明の詳細な説明】
【技術分野】
【０００１】
本発明は、プロペラファン及び空気調和機の室外機に関する。
【背景技術】
【０００２】
従来、空気調和機の課題は、空調能力の向上である。この課題を解消するための手段はいくつかある。その一つに空気調和機の室外機の風量を増加させる、という手段がある。その風量を増加させるためには、室外機のプロペラファンの回転数を上げることが一般的である。
【０００３】
室外機のファンは、プロペラファンが多く、また、樹脂製である場合が多い。このようなプロペラファンを使用して風量を増加させる場合、ファンの回転数を上げることで対応すると、今までのプロペラファンでは、回転強度が不足するという問題点があった。
【０００４】
このような問題点を解決するための技術手段としては、特許文献１に記載されたプロペラファン（軸流ファン用羽根車）が知られている。特許文献１に記載されたプロペラファンは、回転中に最も負荷がかかる、プロペラファンの羽根とボスとの接続部である前縁羽根付根において、その負圧面側に樹脂を盛って、羽根の板厚を部分的に厚くすることによって強度の向上を図っている。
【０００５】
さらに、図８〜図１１を参照して回転強度を向上させた従来のプロペラファン１００，１００Ａを説明する。まず、図８及び図９を参照して上向きタイプの従来のプロペラファン１００を説明する。
図８は、従来の上向きタイプのプロペラファンを下流側から見たときの状態示す斜視図である。図９は、従来の上向きタイプのプロペラファンを上流側から見たときの状態示す要部拡大斜視図である。
図８及び図９に示すように、従来のプロペラファン１００は、中央に配置されたファンボス部３００と、ファンボス部３００の外周面から径方向外側に突出形成された３枚の羽根部２００と、を主に備えた構成されている。
【０００６】
図９に示すように、従来のプロペラファン１００のファンボス部３００の内側には、回転強度を確保のために、六本のリブ４００が等間隔に形成されている。リブ４００は、中央部のボス５００からファンボス部３００に亘って放射状に形成されると共に、軸方向に伸びて板状に形成されている。リブ４００は、羽根部２００の負圧面側羽根付根２１０が配置されたファンボス部３００の内側に配置されて、負圧面側羽根付根２１０の径方向に配置することによって回転強度の向上を図っている。このような従来のプロペラファン１００において、各リブ４００間を繋ぐボス水平面３１０は、ファンボス部３００の下流側に配置されている。
【０００７】
さらに、図１０及び図１１を参照して回転強度を向上させた従来の下向きタイプのプロペラファン１００Ａを説明する。図８及び図９で説明したものと同じ構成のものは、同じ符号を付してその説明を省略する。
図１０は、従来の下向きタイプのプロペラファンのファンボス部内の構造を示す斜視図である。図１１は、従来の下向きタイプのプロペラファンのファンボス部を上流側から見たときの状態を示す要部拡大斜視図である。
図１０及び図１１に示すように、プロペラファン１００Ａは、前記プロペラファン１００と同様に、ファンボス部３００のボス水平面３１０を上流側に配置し、リブ４００を下流側に配置して形成されている。
【０００８】
このように形成されたプロペラファン１００Ａは、図１０に示すように、回転すると、回転中の遠心力によって、羽根部２００Ａが径方向（矢印ｃ方向）に変形しながら回転する。羽根部２００Ａは、回転軸に対してファンボス部３００に斜めに取り付けられているので、遠心力によって径方向に引っ張られるため、水平になろうと弾性変形する。その弾性変形による羽根部２００Ａの付根においての力の向きは、回転中の径方向にかかる力の向き（矢印ｃ方向）と回転中の軸方向にかかる力の向き（矢印ｄ方向）と、に分けられる。この力の向きに合わせてリブ４００を形成すると、回転強度が向上する。つまり、プロペラファン１００Ａは、径方向（矢印ｃ方向）の力の向きに対してはリブ４００で対抗し、また、軸方向（矢印ｄ方向）の力の向きに対してはファンボス部３００の円筒部３２０で対抗して、強度を確保している。
【０００９】
図１０及び図１１に示すように、回転強度を向上したプロペラファン１００Ａは、ボス水平面３１０を上流側に配置している。すなわち、プロペラファン１００Ａは、プロペラファン１００と同様に、前記各方向（矢印ｃ，ｄ方向）の力の向きに対してリブ４００とファンボス部３００の円筒部３２０を配置するのに加えて、それらを繋ぐボス水平面３１０を配置することによって、さらに、強度の向上を図っている。
【先行技術文献】
【特許文献】
【００１０】
【特許文献１】特許第４４８３１４８号公報
【発明の概要】
【発明が解決しようとする課題】
【００１１】
最近は、空気調和機の空調能力を向上させるために、さらに、風量を増加させる場合がある。その場合は、特許文献１に記載の技術でも対応は可能であるが、羽根部の付根の極端な板厚の増加によって、樹脂の射出成形に時間がかかり、コストアップになるという問題点があった。
【００１２】
また、図９及び図１０に示すプロペラファン１００，１００Ａは、ボス水平面３１０によって、ファンボス部３００内が開放した凹部形状に形成されているので、ファンボス部３００内に雪や氷が溜まり易い形状に形成されている。ファンボス部３００内に雪や氷が溜まった場合には、重心が偏るので、プロペラファン１００，１００Ａの回転がアンバランスとなるため、室外機が振動したり、騒音が増大したり、各部品の故障に繋がったりするという問題点があった。
【００１３】
また、プロペラファン１００，１００Ａの雪等による重心のアンバランスを解消させるためには、そのアンバランスに耐えるユニットを設計する必要があるので、コストアップになるという問題点があった。
【００１４】
そこで、本発明は、上記問題に対して、プロペラファンの回転強度を確保し、かつ、雪等による室外機の振動及びコストアップを防ぐことができるプロペラファン及び空気調和機の室外機を提供する。
【課題を解決するための手段】
【００１５】
上記課題を解決するために、本発明に係るプロペラファンは、モータによって回転駆動されるプロペラファンであって、中央部に形成された筒状のファンボス部と、前記ファンボス部の外周面に突出形成された羽根部と、を有し、前記ファンボス部は、前記モータによって回転される回転軸が設けられる軸取付部の外周面から前記ファンボス部の内壁に亘って放射状に形成されて軸方向に延びる複数のリブと、前記複数のリブの間を繋ぐ下流側架設部と、前記下流側架設部よりも上流側で前記複数のリブの間を繋ぐ上流側架設部と、を有していることを特徴とする。
【００１６】
また、本発明に係る空気調和機の室外機は、前記プロペラファンを備えたことを特徴とする。
【発明の効果】
【００１７】
本発明によれば、プロペラファンの回転強度を確保し、かつ、雪等による室外機の振動及びコストアップを防ぐことができるプロペラファン及び空気調和機の室外機を提供することができる。
【図面の簡単な説明】
【００１８】
【図１】本発明の実施形態に係る空気調和機の室外機を示す概略縦断面図である。
【図２】本発明の実施形態に係る空気調和機の室外機の構成を示す図であり、シュラウドを除いた概略平面図である。
【図３】室外機に取り付けられるプロペラファンを示す斜視図である。
【図４】プロペラファンのファンボス部を示す要部拡大斜視図である。
【図５】ファンボス部を上流側から見たときの状態を示す要部拡大斜視図である。
【図６】本発明の実施形態に係る空気調和機の室外機の変形例を示す図であり、プロペラファンの斜視図である。
【図７】本発明の実施形態に係る空気調和機の室外機の変形例を示す図であり、ファンボス部を上流側から見たときの状態を示す要部拡大斜視図である。
【図８】従来の上向きタイプのプロペラファンを下流側から見たときの状態示す斜視図である。
【図９】従来の上向きタイプのプロペラファンのファンボス部内の構造を示す要部拡大斜視図である。
【図１０】従来の下向きタイプのプロペラファンを上流側から見たときの状態示す斜視図である。
【図１１】従来の下向きタイプのプロペラファンのファンボス部を上流側から見たときの状態を示す要部拡大斜視図である。
【発明を実施するための形態】
【００１９】
次に図１〜図５を参照して本発明の実施形態に係るプロペラファン及び空気調和機の室外機の一例を説明する。
本発明に係るプロペラファン１は、モータＭで回転させて風を送るもの、あるいは、空気を吸引するものであればいかなるものにも適用可能である。また、空気調和機の室外機２０及び送風機２１は、そのプロペラファン１を備えたものであれば、構造等は特に限定されない。
以下、本発明の実施形態の一例として、プロペラファン１を取り付けた送風機２１を備えた空気調和機の室外機２０を例に挙げて説明する。なお、便宜上、図１に示す室外機２０の上側を下流側、下側を上流側として説明する。
【００２０】
≪空気調和機≫
空気調和機は、室外に配置される室外機２０と、この室外機２０に配管によって接続されて、室内に配置される室内機（図示省略）と、から構成されている。室外機２０は、空気調和機の冷凍サイクルにおいて、圧縮機２５と、四方弁（図示省略）と、室外用の熱交換器２４と、室外用の送風機２１と、膨張弁（図示省略）と、を備えて構成されている。
【００２１】
≪室外機≫
図１及び図２に示す室外機２０は、底板２２と、底板２２上に載設された圧縮機２５及び熱交換器２４と、圧縮機２５の上方に配置された電気箱２８と、電気箱２８が取り付けられた前側ステー２６と、プロペラファン１を有する送風機２１と、送風機２１の外周に設けられたベルマウス兼シュラウド２３と、を備えている。室外機２０は、送風機２１のプロペラファン１がモータＭによって回転されることにより、室外機２０の外の外気を吸引して熱交換器２４で熱交換を行って、大気中に排出する。室外機２０の内部の空気の流れは、プロペラファン１の回転によって流動して、熱交換器２４の左右前側の三面から室外機２０内に吸引されて、ベルマウス兼シュラウド２３の上側開口部から上方向（矢印ａ方向）へと流れる。
【００２２】
≪送風機≫
送風機２１は、前側ステー２６と後側ステー２７との間に架設されたモータクランプ２９上に設けられたモータＭと、モータＭの回転軸Ｍａが連結されたプロペラファン１と、を備えて構成されている。送風機２１は、室外機２０の上部のベルマウス兼シュラウド２３内に配置されている。
【００２３】
≪プロペラファン≫
図３に示すように、プロペラファン１は、空気を羽根で切るようにして押し出す軸流式プロペラファンであり、前記モータＭ（図１参照）によって回転駆動される。プロペラファン１は、中央部に形成された筒状のファンボス部３と、ファンボス部３の外周面３ａに突出形成された羽根部２と、を主に有して構成されている。プロペラファン１は、ファンボス部３と、羽根部２と、複数のリブ７(図５参照)と、下流側架設部１１(図５参照)と、上流側架設部１２(図５参照)と、を樹脂で一体成形してなる。
【００２４】
＜羽根部＞
図３に示すように、羽根部２は、風を回転軸Ｍａに沿って旋回させながら直線的に流す翼である。羽根部２は、ファンボス部３の外周面３ａに接合するようにして設けられた三本の部材から成る。この羽根部２の本数は、適宜変更しても構わない。なお、羽根部２は、反対方向に回転軸Ｍａをさせれば、風の流れる方向も逆になる。
【００２５】
＜ファンボス部＞
図４に示すように、ファンボス部３は、外周面３ａに三つの羽根部２を等間隔で固定した略有底円筒状の部位である。ファンボス部３は、上流側架設部１２の下流側の外周面３ａ及び上端面１１ｂに三つの切欠溝３ｄが、軸取付部８の周囲から外周面３ａに向かって放射状に形成されている。切欠溝３ｄは、平面視及び側面視して矩形に形成されて、縦断面視して長方形の溝である。
図５に示すように、ファンボス部３の内壁３ｂには、モータＭ（図１参照）によって回転される回転軸Ｍａが設けられる軸取付部８の外周面８ａからファンボス部３の内壁３ｂに亘って放射状に形成されて軸方向に延びる複数のリブ７と、複数のリブ７の間を繋ぐ下流側架設部１１と、下流側架設部１１よりも上流側で複数のリブ７の間を繋ぐ上流側架設部１２と、上流側の開口縁内に形成された第１リブ１３及び第２リブ１４と、を有している。
【００２６】
＜軸取付部＞
軸取付部８は、回転軸Ｍａが装着される部位であり、プロペラファン１の軸心線上に略有底円筒形状に形成されている。なお、軸取付部８は、回転軸Ｍａを挿入して固定するものであっても、回転軸Ｍａを樹脂でインサート成形して一体化してものであってもよい。軸取付部８の上流側の端面と、上流側架設部１２の下面１２ａとは、同じ高さの位置に、面一な同一平面に形成されている。つまり、軸取付部８の上流側の端面と、上流側架設部１２の下面１２ａとは、ファンボス部３の上端から高さＨ１低い位置に形成されている。
【００２７】
＜リブ＞
図５に示すように、ファンボス部３内に形成される補強リブは、第１空間１６を区画するように設けられた三枚のリブ７と、各上流側架設部１２の周方向の一方側に設けられた三枚の第１リブ１３と、各上流側架設部１２の周方向の他方側に設けられた三枚の第２リブ１４と、の合計九枚から成る。リブ７は、ファンボス部３の内壁３ｂと、軸取付部８の外周面８ａとを連結する略スポーク状の部位である。リブ７は、平面視して、軸取付部８の外周面８ａからファンボス部３の内壁３ｂに向けて放射状に形成された三枚の板状のものから成る。三枚のリブ７は、平面視して上流側架設部１２を介して均等な間隔で形成されている。各リブ７は、ファンボス部３の内底となる下流側架設部１１の内底面１１ａから軸取付部８及びファンボス部３の上端に亘って形成されている。
【００２８】
＜下流側架設部＞
図５に示すように、下流側架設部１１は、ファンボス部３と、軸取付部８との下流側部位を繋いで補強するための部位である。下流側架設部１１は、軸取付部８とファンボス部３の内壁３ｂとの間から複数のリブ７の間に亘って形成された六つの第１空間１６の下流側をそれぞれ閉塞するように形成された底板からなる。この下流側架設部１１は、上流側の面が、六つの第１空間１６の内底面１１ａを形成し、下流側の面が、略円筒状の軸取付部８を上流側を閉塞する上端面１１ｂ（図４参照）を形成している。下流側架設部１１の径方向外側の外周部の長さＬ１は、上流側架設部１２の径方向外側の周方向の長さＬ２よりも長く形成されている。
内底面１１ａは、リブ７と、第１リブ１３と、第２リブ１４とによって、平面視して略扇形状に形成されている。
【００２９】
＜上流側架設部＞
図５に示すように、上流側架設部１２は、ファンボス部３と軸取付部８との上流側部位を繋いで補強するための部位である。上流側架設部１２は、軸取付部８とファンボス部３の内壁３ｂとの間から、複数のリブ７の間に亘って形成された三つの第２空間１７（図４参照）の上流側を閉塞するように形成されている。上流側架設部１２は、羽根部２の前縁基端部２ｃの軸心側に設けられている。つまり、図４に示すように、上流側架設部１２は、平面視して軸取付部８を中心として同一の放射線方向に一致させて形成されている。上流側架設部１２は、上流側の面が、三つの凹部１７ａの内底となる下面１２ａを形成し、下流側の面が、三つの切欠溝３ｄの内底面１２ｂを形成している。
下面１２ａは、第１リブ１３と、第２リブ１４と、ファンボス部３の内壁３ｂと、によって、平面視して径方向に長い矩形に形成されている。
【００３０】
＜第１リブ及び第２リブ＞
図５に示すように、第１リブ１３及び第２リブ１４は、ファンボス部３と軸取付部８とを連結する上流側架設部１２の補強部位である。第１リブ１３及び第２リブ１４は、縦断面視して、前記リブ７と同一形状をした板状部位である。第１リブ１３及び第２リブ１４は、軸取付部８の外周面８ａと、ファンボス部３の内壁３ｂとの間において、平面視して放射状に形成されると共に、縦断面視して、内底面１１ａから軸取付部８の外周面８ａの上流側端部、及び、ファンボス部３の内壁３ｂの上流側端部に亘って形成されている。また、第１リブ１３及び第２リブ１４は、上流側架設部１２の周方向の両端部上において、縦断面視して三角形の板状に形成されている。第１リブ１３及び第２リブ１４の上流側の上縁は、ファンボス部３の内壁３ｂの上流側端部から軸取付部８の外周面８ａの上流側端部に向けて斜めに下がるように傾斜して形成されている。
図４に示すように、第１リブ１３及び第２リブ１４は、下流側から見ると、各切欠溝３ｄの周方向の左右の側壁を形成している。
【００３１】
＜第１空間、第２空間及び凹部＞
図５に示すように、第１空間１６は、ファンボス部３内をリブ７と、第１リブ１３と、第２リブ１４と、によって区画するように形成された空間であり、内底面１１ａによって上流側が開放するように形成されている。第１空間１６は、ファンボス部３内の上流側に六つ形成されている。
図４に示すように、第２空間１７は、ファンボス部３の軸取付部８の外周面８ａと、第１リブ１３と、第２リブ１４と、によって形成された切欠溝３ｄ内の空間であり、上流側及びファンボス部３の外周面３ａ側が開放するように形成されている。第２空間１７は、ファンボス部３の上流側に三つ形成されている。
図５に示すように、凹部１７ａは、ファンボス部３の内壁３ｂと、上流側架設部１２と、第１リブ１３と、第２リブ１４と、によって形成された空間であり、第２空間１７（図４参照）に対して上流側架設部１２を介在して反対側（上流側）を開放するように形成されている。凹部１７ａは、ファンボス部３内の上流側（第２空間１７の裏面側）に三つ形成されている。
【００３２】
≪作用≫
次に、図１〜図５を参照して、本発明の実施形態に係るプロペラファン及び空気調和機の室外機の作用を説明する。
【００３３】
図１に示すように、空気調和機の室外機２０は、モータＭが回転駆動すると、回転軸Ｍａを介してプロペラファン１が回転する。すると、プロペラファン１は、室外機２０の外周の外気を左右前側の三面から室外機２０内に吸引して、熱交換器２４で熱交換を行って、ベルマウス兼シュラウド２３の上側開口部から上方向（矢印ａ方向）へと送って大気中に排出する。
【００３４】
前記のように形成されたプロペラファン１は、回転中の径方向の力に対して、図５に示すように、ファンボス部３内に一体形成されたリブ７、第１リブ１３、第２リブ１４、下流側架設部１１、及び、上流側架設部１２の軸方向の面で対抗している。また、回転中の軸方向の力に対しては、ファンボス部３の内壁３ｂと、リブ７、第１リブ１３及び第２リブ１４の側面と、で対抗している。
また、リブ７、第１リブ１３、第２リブ１４、下流側架設部１１、上流側架設部１２、ファンボス部３等を樹脂で一体成形したプロペラファン１は、樹脂射出成形する際に使用する金型の設計(金型分割)が容易であるため、プロペラファン１の強度を向上させることができると共に、コストの低減を図ることができる。
【００３５】
また、プロペラファン１は、ファンボス部３の内壁３ｂと軸取付部８との間に、放射状に形成された三本のリブ７と、三本の第１リブ１３と、三本の第２リブ１４を架設して繋ぐことによって、強度の向上を図っている。
さらに、プロペラファン１は、それぞれのリブ７、第１リブ１３、第２リブ１４間の第１空間１６及び第２空間１７を、各下流側架設部１１及び上流側架設部１２で閉塞して繋いでいることによって、強度の向上を図っている。
【００３６】
上流側架設部１２は、径方向外側の周方向の長さＬ２が、下流側架設部１１の径方向外側の外周部の長さＬ１よりも短く形成されて、平面視して矩形の平板状に形成されているので、径方向外側への引張力に対して比較的強い構造になっている。
その上流側架設部１２は、周方向の両側縁部に軸方向に延設された板状の第１リブ１３と、第２リブ１４とが一体形成されていることによって、軸方向の圧縮力に対する強度が向上されている。
【００３７】
また、図３及び図４に示すように、軸取付部８から外方向に放射状に形成された各上流側架設部１２は、それぞれの羽根部２の前縁基端部２ｃの軸心側に設けられて、径方向の同一直線上に形成されているので、各羽根部２をしっかりと支持することができる。
【００３８】
このように、プロペラファン１は、回転軸Ｍａが設けられる軸取付部８と、羽根部２が連結されるファンボス部３は、補強されて強度が向上されているので、回転強度を確保することができる。
【００３９】
また、図３及び図４に示すように、ファンボス部３の下流側は、切欠溝３ｄが有るものの、下流側架設部１１の上端面１１ｂによって切欠溝３ｄが閉塞されているので、雪等がファンボス部３内に溜まらない構造になっている。つまり、切欠溝３ｄは、ファンボス部３の外周面３ａ及び上端面１１ｂに亘って、縦断面視してＬ字状に形成されて外方向に開放した状態になっているので、雪等が溜まったとしても、雪等をプロペラファン１の回転時の遠心力で振り落とすことができる。
【００４０】
したがって、プロペラファン１は、雪等の付着によって回転にアンバランスが生じることがないので、従来の雪対策として使用していたユニットが不要になるため、コストダウンを図ることができる。また、空気調和機の性能向上のためにプロペラファン１の回転数を増加しても、室外機２０の信頼性を確保し、それによるコスト増加を抑制できる。
【００４１】
［変形例］
以上、本発明について、実施形態に基づいて説明したが、本発明は、上記実施形態に記載した構成に限定されるものではなく、実施形態に記載した構成を適宜組み合わせ乃至選択することを含め、その趣旨を逸脱しない範囲において適宜その構成を変更することができるものである。なお、以下の変形例において、既に説明した構成は同じ符号を付してその説明を省略する。
【００４２】
図６は、本発明の実施形態に係る空気調和機の室外機の変形例を示す図であり、プロペラファンの斜視図である。図７は、本発明の実施形態に係る空気調和機の室外機の変形例を示す図であり、ファンボス部を上流側から見たときの状態を示す要部拡大斜視図である。
【００４３】
前記実施形態で説明した図５に示すプロペラファン１の上流側架設部１２は、第１リブ１３と、第２リブ１４との間の軸方向の中間部位に設けることに限定されるものではない。図６及び図７に示すプロペラファン１Ａのように上流側架設部１２Ａは、第１リブ１３の上流側端部と、第２リブ１４の上流側端部との間に架設して、傾斜面でなる下面１２Ａａで第２空間１７を閉塞するようにして繋いでもよい。
【００４４】
この場合、上流側架設部１２の下面１２Ａａは、ファンボス部３の上流側端部から軸取付部８の上流側端面に亘って下がるように傾斜させて設ける。傾斜した下面１２Ａａの上流側端部には、雨水や、雪解け水が入り込む水抜き孔１２Ａｃを形成してもよい。
また、第１リブ１３及び第２リブ１４は、前記実施形態と同様に、上流側架設部１２Ａの下面１２Ａａの周方向の縁部から下流側架設部１１の内底面１１ａに亘って形成する。また、それぞれの上流側架設部１２Ａと、リブ７との間は、下流側架設部１１を設けて、第１空間１６を閉塞させる。
【００４５】
このようにして前記実施形態の図５に示す上流側架設部１２の上流側にあった第２空間１７を、図７に示す上流側架設部１２Ａの下面１２Ａａで閉塞したことによって、前記実施形態の上流側架設部１２と比較して、より多い面数で羽根部２の付根周辺を構成しているため、さらに、強度の向上を図ることができる。
【００４６】
また、軸取付部８の上流側端部と、上流側架設部１２Ａの上流側端部とを繋ぐ下面１２Ａａの上流側端部に形成した水抜き孔１２Ａｃは、雨や、雪が溜まる構造となっていても、水抜き孔１２Ａｃ内に流れ込んだ雪や、雨水等が排出される。このため、雪等がファンボス部３内に溜まったとしても、雪の溜まる量が少量であるので、回転中の重心の偏りによる回転のアンバランスを生じ難くすることができる。
【００４７】
このようにして形成されたプロペラファン１Ａは、空気調和機の室外機２０の空調能力の更なる向上のために、風量の大幅増加をプロペラファン１Ａの回転数の増加で対応する際に、プロペラファン１Ａの回転強度を確保し、かつ、雪等による室外機２０の振動及びコストアップを防ぐことができる。このため、本発明のプロペラファン１Ａは、空気調和機の性能向上と、信頼性向上及びコスト増加の要請にも対応させることができる。
【００４８】
［その他の変形例］
リブ７、下流側架設部１１、及び、上流側架設部１２，１２Ａの数は、図５及び図７に示す数に限定されず、プロペラファン１，１Ａの大きさ等によって適宜に増やしてもよい。
【符号の説明】
【００４９】
１，１Ａ  プロペラファン
２      羽根部
２ｃ    前縁基端部
３      ファンボス部
３ａ    外周面
３ｂ    内壁
３ｄ    切欠溝
７      リブ
８    軸取付部
８ａ  外周面
１１    下流側架設部
１２，１２Ａ    上流側架設部
１６    第1空間
１７    第２空間
２０    空気調和機の室外機
Ｌ１    下流側架設部の径方向外側の周方向の長さ
Ｌ２    上流側架設部の径方向外側の周方向の長さ
Ｍ      モータ
Ｍａ    回転軸
【図１】
2017053301.tif 000003
【図２】
2017053301.tif 000004
【図３】
2017053301.tif 000005
【図４】
2017053301.tif 000006
【図５】
2017053301.tif 000007
【図６】
2017053301.tif 000008
【図７】
2017053301.tif 000009
【図８】
2017053301.tif 000010
【図９】
2017053301.tif 000011
【図１０】
2017053301.tif 000012
【図１１】
2017053301.tif 000013